(57)【要約】【課題】本発明の目的は、患者の体格により場合によって生ずる自動式胸骨圧迫心臓マッサージ器の圧迫部位のズレに起因する骨折を防止することができる自動式胸骨圧迫心臓マッサージ器を備える担架及びそれに用いる担架を提供することである。【解決手段】本発明に係る自動式胸骨圧迫心臓マッサージ器を備える担架は、担架１００に自動式胸骨圧迫心臓マッサージ器が取付けられ、担架１００は、シート部１１０と把手１２１〜１２４と脇側ベルト片１３１と肩側ベルト片１３２及び連結手段１３３を有する肩部固定ベルト１３０とを備え、自動式胸骨圧迫心臓マッサージ器は、アーチ部とバーチカルロッドと背板２３０とを備え、アーチ部は、衝撃槌と昇降機構と制御部とを有し、背板は、ベルト通し孔２３１に脇側ベルト片を挿通させて、シート部１１０に固定されおり、かつ、ベルト通し孔に肩側ベルト片を挿通させていない。【選択図】図３
2015139595.tif 000002
【特許請求の範囲】
【請求項１】
担架に自動式胸骨圧迫心臓マッサージ器が取付けられた、自動式胸骨圧迫心臓マッサージ器を備える担架であって、
前記担架は、
帯形状をなし、かつ、長手方向に沿って連接する、頭部載置予定部、胸部載置予定部、腹部載置予定部及び脚部載置予定部を有するシート部と、
該シート部に設けた把手と、
前記胸部載置予定部の表面から突出する脇側ベルト片と、該脇側ベルト片よりも前記頭部載置予定部側の表面から突出する肩側ベルト片と、前記脇側ベルト片及び前記肩側ベルト片を連結する連結手段とを有し、かつ、前記脇側ベルト片、前記肩側ベルト片及び連結手段が前記シート部の長手方向と平行な中心線に対して左側及び右側にそれぞれ少なくとも一つずつ設けられている肩部固定ベルトと、を備え、
前記自動式胸骨圧迫心臓マッサージ器は、
患者の胸部上方にまたがって配置されるアーチ部と、
該アーチ部を、該アーチ部の上下方向に移動可能に支持するバーチカルロッドと、
板状をなし、その板厚方向に貫通するベルト通し孔及び前記バーチカルロッドを着脱自在に係合させる係合部を有する背板と、を備え、
前記アーチ部は、該アーチ部の天面部から下方に突出する衝撃槌ロッド及び該衝撃槌ロッドに固定された衝撃頭パッドを有する衝撃槌と、該衝撃槌を上下に往復運動させる昇降機構と、前記昇降機構を制御する制御部と、を有し、
前記背板は、前記ベルト通し孔に前記脇側ベルト片を挿通させて、前記シート部に固定されおり、かつ、前記ベルト通し孔に前記肩側ベルト片を挿通させていないことを特徴とする自動式胸骨圧迫心臓マッサージ器を備える担架。
【請求項２】
前記背板が合成樹脂からなることを特徴とする請求項１に記載の自動式胸骨圧迫心臓マッサージ器を備える担架。
【請求項３】
前記衝撃頭パッドは、その中央部に、前記衝撃槌の上下往復運動方向に貫通させて設けられた嵌合孔を有し、
前記衝撃槌ロッドは、中空筒状であり、筒の外周が前記嵌合孔に嵌まっており、
前記自動式胸骨圧迫心臓マッサージ器は、前記衝撃槌ロッドの内部に設けたレーザー照射部を更に備え、
該レーザー照射部から照射されるレーザー光が、前記衝撃槌ロッド内、又は前記衝撃槌ロッド内及び前記嵌合孔を通り、患者に照射されることを特徴とする請求項１又は２に記載の自動式胸骨圧迫心臓マッサージ器を備える担架。
【請求項４】
前記脇側ベルト片と前記肩側ベルト片とが、前記シート部の裏面側で繋がった一本のベルトであることを特徴とする請求項１〜３のいずれか一つに記載の自動式胸骨圧迫心臓マッサージ器を備える担架。
【請求項５】
前記担架が、前記腹部載置予定部の表面に設けられたベルト通し部と該ベルト通し部を挿通する腹部固定ベルトとを更に備えることを特徴とする請求項１〜４のいずれか一つに記載の自動式胸骨圧迫心臓マッサージ器を備える担架。
【請求項６】
前記脚部載置予定部は、前記シート部の両長辺の縁に沿って設けられた固定手段を有し、
該固定手段は、前記脚部載置予定部の先端部を、前記腹部載置予定部側に向かって前記シート部の表面を内側にして折り返した、折り返し部分を着脱自在に固定し、
前記脚部載置予定部の先端部を、前記腹部載置予定部に向かって前記シート部の表面を内側にして折り返して形成した袋部は、処置時には患者の脚部を収納する脚袋となり、かつ、非処置時には前記アーチ部及び前記バーチカルロッドを収容する収納袋となることを特徴とする請求項１〜５のいずれか一つに記載の自動式胸骨圧迫心臓マッサージ器を備える担架。
【請求項７】
請求項１〜６のいずれか一つに記載の自動式胸骨圧迫心臓マッサージ器を備える担架に用いられることを特徴とする自動式胸骨圧迫心臓マッサージ器用担架。
【発明の詳細な説明】
【技術分野】
【０００１】
本発明は、自動式胸骨圧迫心臓マッサージ器を備える担架及びそれに用いる担架に関する。
【背景技術】
【０００２】
布担架は、階段や狭隘部での搬送が容易であり、救命救急現場で多く使用される。心肺停止患者（ＣＰＡ：Ｃａｒｄｉｏ  Ｐｕｌｍｏｎａｒｙ  Ａｒｒｅｓｔ）に対し布担架上で自動式胸骨圧迫心臓マッサージ器を用いて救命処置を施す場合がある。自動式胸骨圧迫心臓マッサージ器の搬送を容易とし、迅速で安全な装着及び搬送が可能な自動式胸骨圧迫心臓マッサージ器用布担架が提案されている（例えば、特許文献１を参照。）。また、本出願人は、衝撃槌を支持し垂直方向に移動させる支柱と水平方向に移動させる案内枠又は固定箇所群が患者の両側に配置され、支柱と案内枠若しくは固定箇所群の交差点又は支柱と衝撃槌アームとの交差点にスプリング式ラチェットを有する調整具を備えてなる自動衝撃心肺蘇生器を提案している（例えば、特許文献２を参照。）。
【先行技術文献】
【特許文献】
【０００３】
【特許文献１】実用新案登録第３１６１７５１号公報
【特許文献２】特開２０００−２４０６９号公報
【発明の概要】
【発明が解決しようとする課題】
【０００４】
心肺停止患者に対し布担架上で自動式胸骨圧迫心臓マッサージ器を用いて救命処置を施す場合、患者の体格によっては、自動式胸骨圧迫心臓マッサージ器の圧迫部位のズレに起因する骨折が主として肋骨と胸骨の繋ぎ部位に起こる場合があることが問題となっている。この骨折の原因としては、患者を布担架に固定する場合の患者の体格差によって、固定ベルトと患者との間に生ずる隙間に起因する締め付け不足、及び布担架に患者を固定した後、搬送中の布担架の傾斜等に起因する布担架上の患者のズレ等が指摘されている。
【０００５】
本発明の目的は、患者の体格により場合によって生ずる自動式胸骨圧迫心臓マッサージ器の圧迫部位のズレに起因する主として肋骨と胸骨の繋ぎ部位に起こる骨折を防止することができる自動式胸骨圧迫心臓マッサージ器を備える担架及びそれに用いる担架を提供することである。
【課題を解決するための手段】
【０００６】
本発明に係る自動式胸骨圧迫心臓マッサージ器を備える担架は、担架に自動式胸骨圧迫心臓マッサージ器が取付けられた、自動式胸骨圧迫心臓マッサージ器を備える担架であって、前記担架は、帯形状をなし、かつ、長手方向に沿って連接する、頭部載置予定部、胸部載置予定部、腹部載置予定部及び脚部載置予定部を有するシート部と、該シート部に設けた把手と、前記胸部載置予定部の表面から突出する脇側ベルト片と、該脇側ベルト片よりも前記頭部載置予定部側の表面から突出する肩側ベルト片と、前記脇側ベルト片及び前記肩側ベルト片を連結する連結手段とを有し、かつ、前記脇側ベルト片、前記肩側ベルト片及び連結手段が前記シート部の長手方向と平行な中心線に対して左側及び右側にそれぞれ少なくとも一つずつ設けられている肩部固定ベルトと、を備え、前記自動式胸骨圧迫心臓マッサージ器は、患者の胸部上方にまたがって配置されるアーチ部と、該アーチ部を、該アーチ部の上下方向に移動可能に支持するバーチカルロッドと、板状をなし、その板厚方向に貫通するベルト通し孔及び前記バーチカルロッドを着脱自在に係合させる係合部を有する背板と、を備え、前記アーチ部は、該アーチ部の天面部から下方に突出する衝撃槌ロッド及び該衝撃槌ロッドに固定された衝撃頭パッドを有する衝撃槌と、該衝撃槌を上下に往復運動させる昇降機構と、前記昇降機構を制御する制御部と、を有し、前記背板は、前記ベルト通し孔に前記脇側ベルト片を挿通させて、前記シート部に固定されおり、かつ、前記ベルト通し孔に前記肩側ベルト片を挿通させていないことを特徴とする。
【０００７】
本発明に係る自動式胸骨圧迫心臓マッサージ器を備える担架では、前記背板が合成樹脂からなることが好ましい。表面の洗浄、清掃が容易となる。また、患者を担架上に載置したままＸ線撮影を行うことができる。
【０００８】
本発明に係る自動式胸骨圧迫心臓マッサージ器を備える担架では、前記衝撃頭パッドは、その中央部に、前記衝撃槌の上下往復運動方向に貫通させて設けられた嵌合孔を有し、前記衝撃槌ロッドは、中空筒状であり、筒の外周が前記嵌合孔に嵌まっており、前記自動式胸骨圧迫心臓マッサージ器は、前記衝撃槌ロッドの内部に設けたレーザー照射部を更に備え、該レーザー照射部から照射されるレーザー光が、前記衝撃槌ロッド内、又は前記衝撃槌ロッド内及び前記嵌合孔を通り、患者に照射されることが好ましい。マッサージ器の胸骨圧迫位置をより容易に特定することができる。
【０００９】
本発明に係る自動式胸骨圧迫心臓マッサージ器を備える担架では、前記脇側ベルト片と前記肩側ベルト片とが、前記シート部の裏面側で繋がった一本のベルトであることが好ましい。患者の腕の太さにかかわらず、患者を担架により強固に固定することができる。
【００１０】
本発明に係る自動式胸骨圧迫心臓マッサージ器を備える担架では、前記担架が、前記腹部載置予定部の表面に設けられたベルト通し部と該ベルト通し部を挿通する腹部固定ベルトとを更に備えることが好ましい。患者の左右の横ずれをより抑制することができる。
【００１１】
本発明に係る自動式胸骨圧迫心臓マッサージ器を備える担架では、前記脚部載置予定部は、前記シート部の両長辺の縁に沿って設けられた固定手段を有し、該固定手段は、前記脚部載置予定部の先端部を、前記腹部載置予定部側に向かって前記シート部の表面を内側にして折り返した、折り返し部分を着脱自在に固定し、前記脚部載置予定部の先端部を、前記腹部載置予定部に向かって前記シート部の表面を内側にして折り返して形成した袋部は、処置時には患者の脚部を収納する脚袋となり、かつ、非処置時には前記アーチ部及び前記バーチカルロッドを収容する収納袋となることが好ましい。袋部を脚袋として用いることで、患者の上下方向のずれをより抑制することができる。袋部を収容袋として用いることで、救命関連装置の部品点数を削減することができる。また、救急現場でのセッティングの更なる迅速化を図ることができる。
【００１２】
本発明に係る自動式胸骨圧迫心臓マッサージ器用担架は、本発明に係る自動式胸骨圧迫心臓マッサージ器を備える担架に用いられることを特徴とする。
【発明の効果】
【００１３】
本発明は、患者の体格により場合によって生ずる自動式胸骨圧迫心臓マッサージ器の圧迫部位のズレに起因する主として肋骨と胸骨の繋ぎ部位に起こる骨折を防止することができる自動式胸骨圧迫心臓マッサージ器を備える担架及びそれに用いる担架を提供することができる。
【図面の簡単な説明】
【００１４】
【図１】担架本体の一例を示す平面図である。
【図２】自動式胸骨圧迫心臓マッサージ器の一例を示す概略斜視図である。
【図３】担架に背板を取付けた状態を示す図である。
【図４】背板を取付けた部分の一例を示す概略断面図である。
【図５】脚部載置予定部の先端部を、腹部載置予定部に向かって折り返した状態を示す図
【図６】衝撃槌の概略断面図である。である。
【発明を実施するための形態】
【００１５】
次に、本発明について実施形態を示して詳細に説明するが本発明はこれらの記載に限定して解釈されない。本発明の効果を奏する限り、実施形態は種々の変形をしてもよい。
【００１６】
図１は、担架本体の一例を示す平面図である。図２は、自動式胸骨圧迫心臓マッサージ器の一例を示す概略斜視図である。図３は、担架に背板を取付けた状態を示す図である。本実施形態に係る自動式胸骨圧迫心臓マッサージ器を備える担架は、担架１００に自動式胸骨圧迫心臓マッサージ器２００が取付けられた、自動式胸骨圧迫心臓マッサージ器を備える担架であって、担架１００は、図１に示すように、帯形状をなし、かつ、長手方向に沿って連接する、頭部載置予定部１１１、胸部載置予定部１１２、腹部載置予定部１１３及び脚部載置予定部１１４を有するシート部１１０と、シート部１１０に設けた把手１２１，１２４と、胸部載置予定部１１２の表面から突出する脇側ベルト片１３１と、脇側ベルト片１３１よりも頭部載置予定部１１１側の表面から突出する肩側ベルト片１３２と、脇側ベルト片１３１及び肩側ベルト片１３２を連結する連結手段１３３とを有し、かつ、脇側ベルト片１３１、肩側ベルト片１３２及び連結手段１３３がシート部１１０の長手方向と平行な中心線Ｏに対して左側及び右側にそれぞれ少なくとも一つずつ設けられている肩部固定ベルト１３０と、を備え、自動式胸骨圧迫心臓マッサージ器２００は、図２に示すように、患者の胸部上方にまたがって配置されるアーチ部２１０と、アーチ部２１０を、アーチ部２１０の上下方向に移動可能に支持するバーチカルロッド２２０と、板状をなし、その板厚方向に貫通するベルト通し孔２３１及びバーチカルロッド２２０を着脱自在に係合させる係合部２３２を有する背板２３０と、を備え、アーチ部２１０は、アーチ部２１０の天面部２１１から下方に突出する衝撃槌ロッド２４１及び衝撃槌ロッド２４１に固定された衝撃頭パッド２４２を有する衝撃槌２４０と、衝撃槌２４０を上下に往復運動させる昇降機構２５０と、昇降機構２５０を制御する制御部（不図示）と、を有し、背板２３０は、図３に示すように、ベルト通し孔２３１に脇側ベルト片１３１を挿通させて、シート部１１０に固定されおり、かつ、ベルト通し孔２３１に肩側ベルト片１３２を挿通させていない。
【００１７】
（担架）
担架１００は、布担架である。
【００１８】
シート部１１０は、帯形状をなすシートからなり、主として患者を載せる部分である。シート部１１０は、脇側ベルト片１３１をシート部１１０の表面に突出させる基端部１０１及び肩側ベルト片１３２をシート部１１０の表面に突出させる基端部１０２を有する。基端部１０１，１０２は、例えば、切れ込み、長方形状の抜き孔などの貫通孔であるか、又は脇側ベルト片１３１又は肩側ベルト片１３２がシート部１１０に縫い付けられた部分である。基端部１０１，１０２は切れ込み、長方形状の抜き孔などの貫通孔であることがより好ましい。また、シート部１１０には、自動式胸骨圧迫心臓マッサージ器の予備バッテリーを収納するための収納袋１６０が取付けられていてもよい。シート部１１０の材質は、特に限定されないが、例えば、綿、麻などの天然繊維、アクリル、ポリエステル、ナイロンなどの合成繊維である。また、天然繊維、合成繊維などからなる織物に、塩化ビニルなどの樹脂を含浸又はコーティングしたものであってもよい。
【００１９】
頭部載置予定部１１１、胸部載置予定部１１２、腹部載置予定部１１３及び脚部載置予定部１１４は、シート部１１０の長手方向に沿って連接して一体に形成される。シート部１１０は、１枚のシートからなることが好ましい。頭部載置予定部１１１は、胸部載置予定部１１２よりもシート部１１０の一方の短辺側の領域である。頭部載置予定部１１１には、枕１１１ａが取付けられる場合がある。胸部載置予定部１１２は、肩側ベルト片１３２の基端部１０２及び自動式胸骨圧迫心臓マッサージ器の背板の取付予定部Ｓを含む領域である。腹部載置予定部１１３及び脚部載置予定部１１４は、胸部載置予定部１１２よりもシート部１１０の他方の短辺側の領域である。ここで、腹部載置予定部１１３及び脚部載置予定部１１４は、例えば成人男性の平均身長に基いて便宜的に区画され、必ずしも脚部載置予定部１１４に患者の脚部が載置されるわけではない。すなわち、患者の身長が平均身長よりも低いときは、腹部載置予定部１１３に患者の腹部及び脚部が載置される場合がある。
【００２０】
把手１２１〜１２４は、シート部１１０の周縁から突出することが好ましく、シート部１１０の両長辺縁から突出することがより好ましい。把手１２１〜１２４は、搬送者が手で把持できるか、又はパイプ若しくは棒を挿通して運搬できる形状であることが好ましく、例えば、リング状である。把手１２１〜１２４の配置は特に限定されないが、例えば、頭部載置予定部１１１、胸部載置予定部１１２、腹部載置予定部１１３及び脚部載置予定部１１４に、それぞれ１つ以上配置することが好ましい。特に、患者の腰辺りが患者搬送の際に一番重たい部分であるため、腹部載置予定部１１３及び脚部載置予定部１１４には把手１２３，１２４を集中させて設けることが好ましい。例えば、腹部載置予定部１１３及び脚部載置予定部１１４に設ける把手１２３，１２４の数は、シート部１１０の長辺一辺当たり４個以上であることが好ましい。また、把手１２２は、背板の取付予定部Ｓの両脇に配置されることが好ましい。自動式胸骨圧迫心臓マッサージ器を取付けた状態のまま、安定して搬送することができる。
【００２１】
肩部固定ベルト１３０は、患者の腕の付け根部分をシート部１１０に確実に緊縛固定させるベルトである。肩部固定ベルト１３０は、左腕用及び右腕用があり、シート部１１０の長手方向と平行な中心線Ｏに対して左側及び右側にそれぞれ一つずつ設けられている。脇側ベルト片１３１は、基端部１０１からシート部１１０の表面に突出し、患者の脇下から肩前部にわたって掛け回される。肩側ベルト片１３２は、基端部１０２からシート部１１０の表面に突出し、患者の肩上部から肩前部にわたって掛け回される。連結手段１３３は、例えば、ラチェットバックル、カムバックルなどのバックルである。
【００２２】
図４は、背板を取付けた部分の一例を示す概略断面図である。本実施形態に係る自動式胸骨圧迫心臓マッサージ器を備える担架では、脇側ベルト片１３１と肩側ベルト片１３２とが、シート部１１０の裏面側で繋がった一本のベルトであることが好ましい。このとき、脇側ベルト片１３１は、シート部１１０に形成された切れ込み、長方形状の抜き孔などの貫通孔を基端部１０１としてシート部１１０の表面に突出した部分であり、肩側ベルト片１３２は、シート部１１０に形成された切れ込み、長方形状の抜き孔などの貫通孔を基端部１０２としてシート部１１０の表面に突出した部分である。脇側ベルト片１３１及び肩側ベルト片１３２を１本のベルトとすることで、患者の腕の太さにかかわらず、患者を担架により強固に固定することができる。
【００２３】
担架１００は、図１に示すように、腹部載置予定部１１３の表面に設けられたベルト通し部１４１とベルト通し部１４１を挿通する腹部固定ベルト１４２とを更に備えることが好ましい。ベルト通し部１４１をシート部１１０の表面に配置することで、患者の胴囲の大小にかかわらず、患者を担架により強固に固定して、患者の左右の横ずれをより抑制することができる。また、担架１００は、必要に応じて、膝固定ベルト１４３及び／又は足首固定ベルト１４４を更に備えていてもよい。膝固定ベルト１４３及び足首固定ベルト１４４は、シート部１１０の裏面側を通って配置されることが好ましい。また、担架１００は、図１に示すように、背負いベルト１７０を備えることが好ましい。背負いベルト１７０は、例えば、図１に示すようにシート部１１０の短辺に取付けられるか、又はシート部１１０の角部に取付けられてもよい。担架１００を自動式胸骨圧迫心臓マッサージ器の運搬用収納ケースとして用いる場合はケースの持手となり、担架１００で患者を搬送する場合は搬送者が背負いベルト１７０で担架を背負ってもよい。
【００２４】
図５は、脚部載置予定部の先端部を、腹部載置予定部に向かって折り返した状態を示す図である。脚部載置予定部１１４は、シート部１１０の両長辺の縁に沿って設けられた固定手段１５０を有し、固定手段１５０は、脚部載置予定部１１４の先端部１１４ａを、腹部載置予定部１１３側に向かってシート部１１０の表面を内側にして折り返した、折り返し部分を着脱自在に固定し、脚部載置予定部１１４の先端部１１４ａを、腹部載置予定部１１３に向かってシート部の表面を内側にして折り返して形成した袋部１５１は、処置時には患者の脚部を収納する脚袋となり、かつ、非処置時にはアーチ部２１０及びバーチカルロッド２２０を収容する収納袋となることが好ましい。固定手段１５０は、例えば、面ファスナーである。袋部１５１を脚袋として用いることで、患者の上下方向のずれをより抑制することができる。袋部１５１を収容袋として用いることで、救命関連装置の部品点数を削減することができる。また、救急現場でのセッティングの更なる迅速化を図ることができる。
【００２５】
（自動式胸骨圧迫心臓マッサージ器）
自動式胸骨圧迫心臓マッサージ器２００は、図２に示すように、アーチ部２１０と、バーチカルロッド２２０と、背板２３０とを備える。
【００２６】
アーチ部２１０は、天面部２１１と、左側面部２１２ａと、右側面部２１２ｂとを有し、患者の胸部上方にまたがって配置される。天面部２１１は、筐体部２１１ａを有することが好ましい。筐体部２１１ａに制御部（不図示）を内蔵させて携帯性をより向上させることができる。左側面部２１２ａ及び右側面部２１２ｂの下端には、それぞれバーチカルロッド２２０に固定される固定部２１３ａ，２１３ｂが設けられる。固定部２１３ａ，２１３ｂは、例えば、スプリング式ラチェットである。
【００２７】
アーチ部２１０は、アーチ部２１０の天面部２１１から下方に突出する衝撃槌ロッド２４１及び衝撃槌ロッド２４１に固定された衝撃頭パッド２４２を有する衝撃槌２４０と、衝撃槌２４０を上下に往復運動させる昇降機構２５０と、昇降機構２５０を制御する制御部（不図示）と、を有する。
【００２８】
衝撃槌２４０は、図２に示すように、衝撃槌ロッド２４１と衝撃頭パッド２４２とを有する。衝撃槌ロッド２４１は、昇降機構２５０に連結している。衝撃頭パッド２４２は、患者の胸部に当てられる部分である。衝撃頭パッド２４２は、例えば、シリコーン樹脂などの軟質弾性体材料からなる。図２では、衝撃頭パッド２４２が半球状である形態を示したが、本発明は、衝撃頭パッド２４２の形状に限定されない。例えば、衝撃頭パッド２４２は、その先端を、円状、楕円状又は頂角に曲率を有する多角形状の高台リブで囲繞形成し、高台リブの内側を凹状に削られた形状としてもよい。このような形状は、例えば、特許文献２の図５又は図６に示される。
【００２９】
図６は、衝撃槌の概略断面図である。本実施形態に係る自動式胸骨圧迫心臓マッサージ器を備える担架では、衝撃頭パッド２４２は、その中央部に、衝撃槌２４０の上下往復運動方向に貫通させて設けられた嵌合孔２４２ａを有し、衝撃槌ロッド２４１は、中空筒状であり、筒の外周が嵌合孔２４２ａに嵌まっており、自動式胸骨圧迫心臓マッサージ器は、衝撃槌ロッド２４１の内部に設けたレーザー照射部２４３を更に備え、レーザー照射部２４３から照射されるレーザー光２４３ａが、衝撃槌ロッド２４１内、又は衝撃槌ロッド２４１内及び嵌合孔２４２ａを通り、患者に照射されることが好ましい。レーザー光２４３ａを目安にして、マッサージ器の胸骨圧迫位置をより容易に特定することができる。レーザー照射部２４３は、例えば、レーザーポインターである。図６に示すように、衝撃槌ロッド２４１の下端部が嵌合孔２４２ａに挿し込まれた場合、レーザー光２４３ａは、衝撃槌ロッド２４１内及び嵌合孔２４２ａを通って患者に照射される。また、衝撃槌ロッド２４１が衝撃槌頭パッド２４２の下端まで挿し込まれた場合（不図示）には、レーザー光２４３ａは、衝撃槌ロッド２４１内を通って患者に照射される。
【００３０】
昇降機構２５０は、例えば、ガス入力用継手（不図示）と、ガス入力用ストップバルブ（不図示）と、ガス供給口（不図示）及びガス排気口（不図示）を有するシリンダ２５１と、ガス排気用ストップバルブ（不図示）とを有する。ガス入力用継手とガス入力用ストップバルブとの間、ガス入力用ストップバルブとガス供給口との間、ガス排気口とガス排気用ストップバルブとの間は、それぞれ配管（不図示）で接続される。ガス入力用継手は、アーチ部２１０の外面に設けられることが好ましい。ガス入力用継手には、配管（不図示）が接続されて、ガスボンベ又はエアタンクから例えば圧縮空気又は圧縮酸素が供給される。ガス入力用ストップバルブ又はガス排気用ストップバルブは、例えば、電磁弁である。ガス入力用ストップバルブ及びガス排気用ストップバルブは、それぞれ別個のバルブとするか、又は一つのバルブでガス入力用ストップバルブ及びガス排気用ストップバルブを兼用してもよい。一つのバルブでガス入力用ストップバルブ及びガス排気用ストップバルブを兼用する場合は、例えば三方電磁弁が用いられる。シリンダ２５１は、内部空間を有する容器状である。シリンダ２５１の内部空間には、ピストン（不図示）及び排気時にピストンをシリンダ２５１内に挿し戻す力を発生させるスプリング（不図示）が配置される。スプリングは、シリンダ２５１の外部に配置されてもよい。また、ガス入力用ストップバルブ及びガス排気用ストップバルブとして三方電磁弁を用いる場合、一つの開口でガス供給口及びガス排気口を兼用してもよい。
【００３１】
制御部（不図示）は、例えば、ＣＰＵ（Ｃｅｎｔｒａｌ  Ｐｒｏｃｅｓｓｉｎｇ  Ｕｎｉｔ）である。制御部（不図示）は、アーチ部２１０に設けられた筐体部２１１ａに内蔵されることが好ましい。制御部（不図示）は、昇降機構２５０のガス入力用ストップバルブ及びガス排気用ストップバルブの開閉を制御する。制御部（不図示）がガス入力用ストップバルブを開、かつ、ガス排気用ストップバルブを閉としたとき、昇降機構２５０では、シリンダ２５１の内部空間にガスが供給されてガス圧が高まり、ピストンがスプリングの反発力に抗いながら押し下げられ、衝撃槌２４０は下方に移動する。制御部がガス入力用ストップバルブを閉、かつ、ガス排気用ストップバルブを開としたとき、昇降機構２５０では、シリンダ２５１の内部空間のガスが排気されてガス圧が低下し、スプリングが伸びてピストンが押し上げられ、衝撃槌２４１は上方に移動する。これらの制御を繰り返し行うことで、衝撃槌２４０が上下に往復運動する。また、制御部は、例えば、自動式胸骨圧迫心臓マッサージ器の電源のオン／オフ、単位時間当たりの心マッサージの回数、心マッサージのストロークを制御する。
【００３２】
自動式胸骨圧迫心臓マッサージ器は、制御部（不図示）に電力を送る電源部（不図示）を備えることが好ましい。電源部（不図示）は、例えば、例えば、使い捨てされる一次電池、充電して繰り返し使用できる二次電池、小型燃料電池などの電池である。これらは、１種を単独で使用するか、又は２種以上を併用してもよい。電源部が電池であることで、電池をアーチ部２１０の筐体２１１ａに内蔵させるか、アーチ部２１０に外付けするか又は背板２３０の横に取付けて、携帯性をより向上させることができる。また、自動式胸骨圧迫心臓マッサージ器の電源は、外部交流電源であってもよい。または、電池と外部交流電源とを併用できる構造であってもよい。
【００３３】
バーチカルロッド２２０は、図２に示すように、左右に一対設けられ、固定部２１３ａ，２１３ｂにそれぞれ固定されることが好ましい。バーチカルロッド２２０の下端には、背板２３０の係合部２３２に係合する突起２１４が設けられる。バーチカルロッド２２０は、アーチ部２１０を、アーチ部２１０の上下方向に移動可能に支持する。バーチカルロッド２２０は、固定部２１３ａ．２１３ｂのラチェットに係合する溝（不図示）を有することが好ましい。また、バーチカルロッド２２０はアーチ部２１０の脚部と一体に形成されるか、又はバーチカルロッド２２０がアーチ部２１０の脚部を兼ねていてもよい。
【００３４】
背板２３０は、患者の胸部下面を支持する板である。本実施形態では、制御部はすべてアーチ部２１０に配置され、背板２３０は制御部を有さないことが好ましい。また、背板２３０は合成樹脂からなることが好ましい。表面の洗浄、清掃が容易となる。また、患者を担架上に載置したままＸ線撮影を行うことができる。背板２３０は、その板厚方向に貫通するベルト通し孔２３１及びバーチカルロッド２２０を着脱自在に係合させる係合部２３２を有する。ベルト通し孔２３１は、貫通孔である。係合部２３２には、バーチカルロッド２２０の下端に設けられた突起２１４が嵌められる。背板２３０の表面には、凹部２３３が設けられていることが好ましい。患者の左右方向のずれをより抑制することができる。
【００３５】
（自動式胸骨圧迫心臓マッサージ器を備える担架）
本実施形態に係る自動式胸骨圧迫心臓マッサージ器を備える担架は、図３に示すように、担架１００に自動式胸骨圧迫心臓マッサージ器の背板２３０が固定されており、背板２３０にアーチ部２１０及びバーチカルロッド２２０が取付けられる。アーチ部２１０及びバーチカルロッド２２０の取付けは、予めアーチ部２１０の固定部２１３ａ，２１３ｂ（図２に図示）をバーチカルロッド２２０に固定して、アーチ部２１０及びバーチカルロッド２２０を一体化しておいたものを背板２１３に取付けるか、又は背板２３０にバーチカルロッド２２０を係合した後、アーチ部２１０をバーチカルロッド２２０に固定してもよい。
【００３６】
背板２３０は、ベルト通し孔２３１に脇側ベルト片１３１を挿通させて、シート部１１０に固定されおり、かつ、ベルト通し孔２３１に肩側ベルト片１３２を挿通させていない。脇側ベルト片１３１及び肩側ベルト片１３２の両方を背板２３０に挿通させると、脇側ベルト片１３１の基端部１０１及び肩側ベルト片１３２の基端部１０２の位置が固定され、患者の腕が細い場合は、腕に沿って肩部固定ベルト１３０を十分に締め付けることができず、患者の上下方向のずれが生じるという問題があった。本実施形態では、脇側ベルト片１３１だけを背板２３０を挿通させ、肩側ベルト片１３２を背板２３０に挿通させないことで、肩部固定ベルト１３０を締め上げたとき、肩側ベルト片１３２の基端部１０２を背板２３０側に手繰り寄せることができ、患者の腕の太さにかかわらず、患者を担架により強固に固定することができる。患者の胸部を、マッサージ器の胸骨圧迫位置（衝撃槌２４０の直下）により確実に配置させることができ、処理をより迅速に行って蘇生率の向上が見込まれる。また、シート部１１０の長手方向における背板２３０の長さをより短くすることができ、背板２３０の位置を、マッサージ器の胸骨圧迫位置に合わせてより容易に調整することができる。
【００３７】
（自動式胸骨圧迫心臓マッサージ器用担架）
本実施形態に係る自動式胸骨圧迫心臓マッサージ器用担架は、本実施形態に係る自動式胸骨圧迫心臓マッサージ器を備える担架に用いられる。自動式胸骨圧迫心臓マッサージ器用担架は、例えば、図１に示される担架１００である。
【符号の説明】
【００３８】
１００  担架
１０１，１０２  基端部
１１０  シート部
１１１  頭部載置予定部
１１１ａ  枕
１１２  胸部載置予定部
１１３  腹部載置予定部
１１４  脚部載置予定部
１１４ａ  脚部載置予定部の先端部
１２１〜１２４  把手
１３０  肩部固定ベルト
１３１  脇側ベルト片
１３２  肩側ベルト片
１３３  連結手段
１４１  ベルト通し部
１４２  腹部固定ベルト
１４３  膝固定ベルト
１４４  足首固定ベルト
１５０  固定手段
１５１  袋部
１６０  収納袋
２００  自動式胸骨圧迫心臓マッサージ器
２１０  アーチ部
２１１  アーチ部の天面部
２１１ａ  筐体部
２１２ａ  左側面部
２１２ｂ  右側面部
２１３ａ，２１３ｂ  固定部
２１４  突起
２２０  バーチカルロッド
２３０  背板
２３１  ベルト通し孔
２３２  係合部
２３３  凹部
２４０  衝撃槌
２４１  衝撃槌ロッド
２４２  衝撃頭パッド
２４２ａ  嵌合孔
２４３  レーザー照射部
２４３ａ  レーザー光
２５０  昇降機構
Ｓ  背板の取付予定部
【図１】
2015139595.tif 000003
【図２】
2015139595.tif 000004
【図３】
2015139595.tif 000005
【図４】
2015139595.tif 000006
【図５】
2015139595.tif 000007
【図６】
2015139595.tif 000008